(57)【要約】  内部光源を含むライトモジュールと、初期閉位置にライトモジュールを保持する保持部材と、モジュールが複数の開位置の１つへ外側に向けて枢動できるようにライトモジュールをリリースするリリースボタンであって、ライトモジュールは、各開位置において異なる向きを有する、リリースボタンと、を含む調整可能なキーボードライト。【選択図】図１
2011515757.tif 000002
【特許請求の範囲】
【請求項１】
内部光源を含むライトモジュールと、
初期閉位置に前記ライトモジュールを保持する保持部材と、
前記モジュールが複数の開位置の１つへ外側に向けて枢動できるように前記ライトモジュールをリリースするリリースボタンであって、前記ライトモジュールは、各開位置において異なる向きを有する、リリースボタンと
を備える調整可能なキーボードライト。
【請求項２】
前記ライトモジュールは、
前記ライトモジュールが開位置に達するようにそのまわりを枢動する枢動軸
を備える
請求項１に記載のキーボードライト。
【請求項３】
前記ライトモジュールは、
前記保持部材が相互作用するラチェット素子
を備える
請求項１に記載のキーボードライト。
【請求項４】
前記ラチェット素子は、複数のステップを備え、各ステップは、前記ライトモジュールの異なる向きに関連付けられる
請求項３に記載のキーボードライト。
【請求項５】
前記保持部材は、
前記ラチェット機構の前記ステップと接触する保持タブ
を含み、
その接触は、各ステップに関連付けられた前記向きに前記ライトモジュールを保持する
請求項４に記載のキーボードライト。
【請求項６】
前記リリースボタンはカム部材を備え、
前記保持部材はカム面を備え、
前記リリースボタンの押下は、前記カム部材を前記カム面に押し付けて、前記保持部材を横に変位させる
請求項１に記載のキーボードライト。
【請求項７】
前記ライトモジュールを開位置に向けて付勢するライトモジュールバネ
をさらに備える請求項１に記載のキーボードライト。
【請求項８】
前記保持部材を付勢して前記ライトモジュールと接触させる保持部材バネ
をさらに備える請求項１に記載のキーボードライト。
【請求項９】
前記ライトモジュールの枢動を制限する、前記ライトモジュールに設けられた停止部材
をさらに備える請求項１に記載のキーボードライト。
【請求項１０】
コンピューティングデバイスのディスプレイ部の筐体内に一体化するように適応された調整可能なキーボードライトであって、
内部光源と、枢動軸とを含むライトモジュールであって、該ライトモジュールは、該ライトモジュールが前記筐体内に位置付けられる初期閉位置から、該ライトモジュールが前記筐体から伸長する複数の開位置の１つへ、前記枢動軸のまわりを枢動して移動でき、該ライトモジュールは、複数のステップを有するラチェット素子をさらに含み、各ステップは、異なるライトモジュールの向きに関連付けられる、ライトモジュールと、
前記ライトモジュールに作用して、前記ライトモジュールを開位置に向けて付勢する、ライトモジュールバネと、
前記ライトモジュールの向きを制御する保持部材であって、該保持部材は、前記ラチェット素子の前記ステップと接触する保持タブを含み、前記保持タブが接触する前記ステップは、前記ライトモジュールの前記向きを決定する、保持部材と、
前記保持タブが前記ラチェット素子の前記ステップの１つと接触するように、前記保持部材を付勢して前記ライトモジュールと接触させる保持部材バネと、
前記保持部材バネの力に逆らって前記保持部材を移動させ前記ライトモジュールとの接触を解除するリリースボタンと
を備えるキーボードライト。
【請求項１１】
前記リリースボタンはカム部材を備え、
前記保持部材はカム面を備え、
前記リリースボタンの押下は、前記カム部材を前記カム面に押し付けて、前記保持部材を横に変位させる
請求項１０に記載のキーボードライト。
【請求項１２】
前記ライトモジュールの枢動を制限する、前記枢動軸に設けられた停止部材
をさらに備える請求項１０に記載のキーボードライト。
【請求項１３】
前記ライトモジュールは、３つの開位置に配置され得、前記ライトモジュールは、前記３つの開位置のそれぞれにおいて前記筐体と異なる角度を形成する
請求項１０に記載のキーボードライト。
【請求項１４】
前記角度は、およそ８度、１３度、及び１８度である
請求項１３に記載のキーボードライト。
【請求項１５】
キーボードを含むベース部と、
外側筐体内に設けられたディスプレイを含むディスプレイ部と、
前記外側筐体に実装された調整可能なキーボードライトであって、
該キーボードライトは、
内部光源を含むライトモジュールと、
前記ライトモジュールが前記外側筐体と実質的に同一平面にある初期閉位置に前記ライトモジュールを保持する保持部材と、
前記モジュールが前記外側筐体から複数の開位置の１つへ外側に向けて枢動できるように前記ライトモジュールをリリースするリリースボタンと
を含み、
前記ライトモジュールは、各開位置において前記外側筐体と異なる角度を形成する
調整可能なキーボードライトと
を備えるコンピューティングデバイス。
【請求項１６】
前記ライトモジュールは、
該ライトモジュールがそのまわりを枢動して開位置に達する枢動軸
を備える
請求項１５に記載のコンピューティングデバイス。
【請求項１７】
前記ライトモジュールは、
前記保持部材が相互作用するラチェット素子
を備える
請求項１５に記載のコンピューティングデバイス。
【請求項１８】
前記ラチェット素子は複数のステップを備え、各ステップは、前記ライトモジュールの異なる向きに関連付けられる
請求項１５に記載のコンピューティングデバイス。
【請求項１９】
前記保持部材は、
前記ラチェット機構の前記ステップと接触する保持タブ
を含み、
その接触は、各ステップに関連付けられた前記向きに前記ライトモジュールを保持する
請求項１５に記載のコンピューティングデバイス。
【請求項２０】
前記リリースボタンはカム部材を備え、
前記保持部材はカム面を備え、
前記リリースボタンの押下は、前記カム部材を前記カム面に押し付けて、前記保持部材を横に変位させる
請求項１５に記載のコンピューティングデバイス。
【請求項２１】
前記ライトモジュールを開位置に向けて付勢するライトモジュールバネ
をさらに備える請求項１５に記載のコンピューティングデバイス。
【請求項２２】
前記保持部材を付勢して前記ライトモジュールと接触させる保持部材バネ
をさらに備える請求項１５に記載のコンピューティングデバイス。
【請求項２３】
前記ライトモジュールの外側への枢動を制限する、前記ライトモジュールに設けられた停止部材
をさらに備える請求項１５に記載のコンピューティングデバイス。
【請求項２４】
該コンピューティングデバイスは、ノートブックコンピュータである
請求項１５に記載のコンピューティングデバイス。
【発明の詳細な説明】
【技術分野】
【０００１】
本発明は、調整可能なキーボードライトを有するコンピューティングデバイスに関する。
【背景技術】
【０００２】
微光状態でコンピューティングデバイスのキーボードを見ることは難しい場合がある。
その難しさは、コンピュータディスプレイによって放出された光によって悪化する可能性がある。
特に、ディスプレイは、コンピュータユーザの目を照明し、したがって、ユーザの目が環境光を収集するために拡張できる範囲を制限する。
【０００３】
コンピューティングデバイスのディスプレイ部にライトを設けて、上から下へキーボードを照明することができるが、このようなライトは、コンピューティングデバイスのディスプレイ部が、キーボードに対して特定の角度に位置決めされているときにしか有効でない場合がある。
特に、ライトが調整可能でない場合、ディスプレイ部とキーボードとの間に形成される角度を考慮した向きにライトを配置することができない。
その結果、放出された光は、キーボードのすべて又は一部に届かないおそれがあり、一層悪いことには、ユーザの目に差し込むおそれがある。
【発明の概要】
【０００４】
本発明にかかる調整可能なキーボードライトは、内部光源を含むライトモジュールと、初期閉位置に前記ライトモジュールを保持する保持部材と、前記モジュールが複数の開位置の１つへ外側に向けて枢動できるように前記ライトモジュールをリリースするリリースボタンであって、前記ライトモジュールは、各開位置において異なる向きを有する、リリースボタンとを備える。
【図面の簡単な説明】
【０００５】
開示するコンピューティングデバイスは、以下の図面を参照することでより良く理解することができる。
図面内のコンポーネントは、必ずしも一律の縮尺であるとは限らない。
【０００６】
【図１】調整可能なキーボードライトを有するコンピューティングデバイスの一実施形態の斜視図である。
【図２】キーボードライトをさらに詳細に示す、図１のコンピューティングデバイスのディスプレイ部の部分断面図である。
【図３】図２に示すキーボードライトのポップアップライトモジュールの斜視図である。
【図４Ａ】図３のポップアップライトモジュール、及びポップアップライトモジュールの向きを制御するのに使用される制御機構の側面図であり、初期閉位置から第１の開位置へのポップアップライトモジュールの変遷を示す。
【図４Ｂ】図３のポップアップライトモジュール、及びポップアップライトモジュールの向きを制御するのに使用される制御機構の側面図であり、初期閉位置から第１の開位置へのポップアップライトモジュールの変遷を示す。
【図４Ｃ】図３のポップアップライトモジュール、及びポップアップライトモジュールの向きを制御するのに使用される制御機構の側面図であり、初期閉位置から第１の開位置へのポップアップライトモジュールの変遷を示す。
【図５Ａ】図１のコンピューティングデバイスのディスプレイ部の部分側面図であり、さまざまな向きのポップアップライトモジュールを示す。
【図５Ｂ】図１のコンピューティングデバイスのディスプレイ部の部分側面図であり、さまざまな向きのポップアップライトモジュールを示す。
【図５Ｃ】図１のコンピューティングデバイスのディスプレイ部の部分側面図であり、さまざまな向きのポップアップライトモジュールを示す。
【図５Ｄ】図１のコンピューティングデバイスのディスプレイ部の部分側面図であり、さまざまな向きのポップアップライトモジュールを示す。
【図６】調整可能なキーボードライトの使用を示す、図１のコンピューティングデバイスのさらなる斜視図である。
【発明を実施するための形態】
【０００７】
上述したように、コンピューティングデバイスのキーボードを照明する目的でコンピューティングデバイスのディスプレイ部にライトを設けることができるが、このライトは、ディスプレイ部が、キーボードに対して特定の向き（例えば、角度）に配置されているときにしか有効でない場合がある。
しかしながら、以下で説明するように、このようなライトの有効性は、ライトが調整可能であるときに改善され得る。
このような場合、ライトの向きを、ディスプレイ部の向きに対して調整して、ライトがキーボードのキーを確実に直接照らすことができる。
【０００８】
次に、図面をより詳細に参照する。図面において、同様の番号は、図全体を通じて対応する部分を示す。
図１は、ノートブックコンピュータ又は「ラップトップ」コンピュータの形態のコンピューティングデバイス１００を示す。
ノートブックコンピュータが明示的に示されて識別されているが、ノートブックコンピュータは、一例として引用されているに過ぎないことに留意されたい。
したがって、本開示の教示は、デスクトップコンピュータ等の他のコンピューティングデバイスにも適用することができる。
【０００９】
図１に示すように、コンピューティングデバイス１００は、ヒンジ機構（図示せず）で互いに取り付けられているベース部１０２及びディスプレイ部１０４を含む。
ベース部１０２は、プロセッサ、メモリ、ハードドライブ等のコンピューティングデバイス１００のさまざまな内部コンポーネントを取り囲む外側筐体１０６を含む。
また、ベース部１０２には、キーボード１０８、マウスパッド１１０、及び選択ボタン１１２を含むユーザ入力デバイスだけでなく、筐体１０６を通じてアクセス可能なさまざまなポート又はコネクタ１１４も含まれる。
ディスプレイ部１０２は、それ自身の外側筐体１１６を含む。
筐体１１６内には、液晶ディスプレイ（ＬＣＤ）等のディスプレイ１１８が設けられる。
【００１０】
図１にさらに示すように、ディスプレイ部１０４は、調整可能なキーボードライトを含む。この調整可能なキーボードライトは、全体として、参照番号１２０により識別される。
図１から明らかなように、キーボードライト１２０は、ディスプレイ部１０４の上端１２２に隣接して筐体１１６内に一体化されている。
【００１１】
図２は、キーボードライト１２０をさらに詳細に示す。
図２に示すように、キーボードライト１２０は、筐体１１６に形成された開口部２０４を通って筐体１１６から外に伸長するポップアップライトモジュール２００及び筐体１１６に形成された開口部２０６を通って筐体１１６から外に伸長するリリースボタン２０２を備える。
図２にさらに示すように、モジュール２００は、筐体１１６内に設置されたブラケット２１０によって枢動可能に支持される枢動（pivot）軸２０８を含む。
モジュール２００を開位置又は伸長位置に向けて付勢する１つ又は複数のライトモジュールバネ２１２が、枢動軸２０８を取り囲んでいる。
例として、バネ２１２はねじりバネである。
以下でより詳細に説明するように、リリースボタン２０２が押下されたときに、モジュールを保持する機構がリリースされると、バネ２１２によって、モジュール２００は筐体１１６から外へポップアップ又はポップアウトする。
【００１２】
図３は、ポップアップライトモジュール２００をさらに詳細に示す。
図３に示すように、モジュール２００は、前側３０２、上側３０４、及び横側３０６（図３では、１つの横側のみが見えている）を含む一般に長方形の筐体３００を備える。
前側３０２には、ライトウィンドウ３０８が設けられている。内部光源（図示せず）によって放出された光は、このライトウィンドウ３０８を通って輝く。
例として、内部光源は、白色発光ダイオード（ＬＥＤ）を備える。
上側３０４は、モジュール２００の上面又は外面３１０を形成する。
モジュール２００が初期閉位置にあるとき、外面３１０は、一般に、ディスプレイ部筐体１１６（図２）の外面と同一平面にある。
横側３０６には、換気口３１２が形成され、使用中、内部光源によって発生した熱はこの換気口を通って抜け出ることができる。
横側３０６の一方には、ラチェット素子３１４が、換気口３１２に隣接して設けられている。
図示した実施形態では、ラチェット素子３１４は、複数のステップ３１６、３１７、及び３１８を備える。各ステップは上面３２０を備える。
以下でさらに詳細に説明するように、ステップ３１６、３１７、及び３１８は、モジュール２００の向きを制御するのに使用される。
より詳細には、ステップ３１６、３１７、及び３１８は、モジュール２００の枢動角を制御するのに使用される。この枢動角は、光がディスプレイ部１０４から放出される角度を制御する。
【００１３】
図３をさらに参照して、ポップアップライトモジュール２００は、筐体３００を枢動軸２０８に接続する軸接続部３２２も含む。
図３に示すように、枢動軸２０８は、当該軸の枢動を制限し、したがって、モジュール２００の枢動を制限する停止部材３２４を備える。
いくつかの実施形態では、枢動軸２０８の各端部に１つの、計２つのこのような停止部材３２４が設けられる。
【００１４】
図４Ａ〜図４Ｃは、ポップアップライトモジュール２００及びこのモジュールの向きを制御するのに使用される制御機構４００を示す。
図４Ａ〜図４Ｃでは、キーボードライト１２０が設けられるディスプレイデバイス筐体１１６の外面は、破線４０２によって識別される。
【００１５】
図４Ａから始めて、ポップアップライトモジュール２００は、モジュールの外面３１０が筐体１１６の外面４０２と実質的に同一平面にある初期閉位置で示されている。
上述したように、枢動軸２０８に設けられた１つ又は複数のバネ２１２が、開位置又は伸長位置に向けてモジュール２００を付勢する（図２）。
一方、モジュール２００は、保持部材４０４によって図４Ａに示す閉位置に保持される。
図４Ａ〜図４Ｃの実施形態では、保持部材４０４はブロック４０６を備える。このブロック４０６から、モジュールのラチェット素子３１４に対する歯止めとして働く保持タブ４０８が横に延びる。
したがって、保持タブ４０８は、ラチェット素子３１４の移動を妨げるときに、モジュール２００の枢動を防止する。
モジュール２００が、図４Ａに示す閉位置にあるとき、保持タブ４０８は、第１のステップ３１６の上面３２０と接触し、それによって、ラチェット素子３１４が、（図４Ａの向きでの）上方向に移動することを防止する。したがって、これにより、モジュール２００の枢動が防止される。
【００１６】
しかしながら、保持タブ４０８が第１のステップ３１６から移動されて離れたとき、モジュール２００の枢動が可能である。
このような移動は、ユーザがリリースボタン２０２を押下したときに達成される。
詳細には、図４Ｂに示すように、リリースボタン２０２の押下によって、保持部材４０４は、ブロック４０６から伸長するシャフト４１２に設けられた保持部材バネ４１０の力に逆らってモジュール２００から離れる横方向に移動する。
いくつかの実施形態では、方向矢印４１４によって識別されるリリースボタン２０２の（図４Ｂの向きでの）下方の移動は、ボタンのカム部材４１８とブロック４２０のカム面４２０との相互作用によって、方向矢印４１６により識別される保持部材４０４の横の移動に変換される。カム部材４１８及びカム面４２０の双方は、図４Ｂでは隠れ線で示されている。
図４Ｂに示すように、リリースボタン２０２がさらに下に押下されるほど、保持部材４０４がさらに遠く横に変位するように、カム部材４１８及びカム面４２０の双方には傾斜が付けられている。
【００１７】
上述したリリースボタン２０２と保持部材４０４との間の相互作用は、ポップアップライトモジュール２００の光がキーボード１０８（図１）を照らすことができるように、ポップアップライトモジュール２００を開放又は伸長するのに使用され得る。
例えば、保持タブ４０８が移動されて第１のステップ３１６の上面３２０と接触しなくなるポイントへリリースボタン２０２が押下されたとき、モジュール２００は、１つ又は複数のねじりバネ２１２（図２）の力を受けて、筐体１１６から外側へ向けてその枢動軸２０８のまわりを枢動する。
保持タブ４０８が、第１のステップ３１６との接触が失われたポイントをはるかに越えて移動されていないものと仮定すると、図４Ｃに示すように、タブは、その後、第２のステップ３１７の上面３２０と接触する。
図４Ｃでは、モジュール２００は、第１の開位置の向きに合わせられる。この第１の開位置では、モジュールは、筐体１１６の外面４０２を越えて伸長し、したがって、筐体から外を光で照らすことができる。
一方、保持タブ４０８と第２のステップ２１７との間の接触によって、モジュール２００のさらなる枢動は妨げられる。
【００１８】
上記から分かるように、保持部材４０４は、保持タブ４０８を移動させて第３のステップ２１８と接触するようにリリースボタン２０２によりさらに変位され、ポップアップライトモジュール２００の第２の開位置を達成することができる。
いくつかの実施形態では、保持部材４０４は、第３のステップ２１８を越えて保持タブ４０８を移動させるようにさらに変位され得る。そのポイントでは、枢動軸２０８に設けられた停止部材３２４が、そのそれぞれのブラケット２１０と当接（abut）して、モジュール２００のさらなる枢動が制限される。
そのポイントでは、モジュール２００の第３の開位置が達成され得る。
【００１９】
図５Ａ〜図５Ｄは、ポップアップライトモジュール２００のそれぞれ閉位置、第１の開位置、第２の開位置、及び第３の開位置を示す。
図５Ａから始めて、モジュール２００は、上述したように、閉位置にあるとき、ディスプレイ部筐体１１６の外面４０２と実質的に同一平面にある。
一方、図５Ｂに示す第１の開位置では、光線５００をキーボード１０８（図１）に方向付けることができるような比較的浅い角度を外面４０２と形成するように、モジュール２００はその枢動軸２０８のまわりを枢動されている。
例として、その角度はおよそ８度である。
図５Ｃに示す第２の開位置では、モジュール２００と外面４０２との間に、より大きな角度が形成されている。
例として、その角度はおよそ１３度である。
最後に、図５Ｄに示す第３の開位置では、モジュール２００は、外面４０２と約１８度の角度を形成する。
【００２０】
図５Ａ〜図５Ｄから分かるように、ポップアップライトモジュール２００の位置（すなわち、キーボードライト１２０の向き）は、ユーザによって選択的に調整され、光が放出される角度を制御し、光がキーボード１０８に確実に当たるようにすることができる。
したがって、ディスプレイ部１０４が、キーボード１０８を収容するベース部１０２と比較的小さな角度を形成するのか、それとも比較的大きな角度を形成するのかに関わらず、キーボードライト１２０を調整して、キーボードライト１２０がキーボードのキーを照明することに確実に有効であるようにすることができる。
【００２１】
ポップアップライトモジュール２００の開放又は伸長を、このモジュールが順次、段階的に次第に大きな範囲で開放される段階的プロセスとして上記で説明してきたが、このモジュールは、代替的に、リリースボタン２０２を完全に押下することによって、初期閉位置からその最大範囲（すなわち、上述した第３の開位置）へ直接開放され得ることに留意されたい。
このような場合、ユーザは、所望ならば、例えば段階的な方法で手動によりモジュール２００を内側に向けて枢動させて、光が放出される角度を低減することができる。
例えば、ユーザが、モジュール２００を第３の開位置に開放するが、（例えば、ディスプレイ部１０４がベース部１０２に対して広角に開放されていることから）光がキーボード１０８を「通り越している（overshoot）」場合、ユーザは、モジュールを内側に向けて筐体１１６内へ押圧し、モジュール２００を第２の開位置に配置することができる。
このような場合、保持タブ４０８は、バネ４１０の力を受けて第３のステップ３１８の上面３２０と直ちに接触する。
光がキーボード１０８をまだ通り越していることにユーザが気付いた場合、ユーザは、モジュール２００を内側に向けて再び押圧し、モジュール２００を第１の開位置に配置することができる。第１の開位置では、保持タブ４０８は、第２のステップの上面３２０と接触する（図４Ｃ参照）。
ユーザがどの位置を好むのかに関わらず、モジュールを筐体１１６内へ最後まで押圧して戻すことにより、モジュール２００は初期閉位置に戻して配置され得る。このポイントでは、保持タブ４０８は、第１のステップ３１６の上面３２０と再び接触する（図４Ａ参照）。
【００２２】
図６は、コンピューティングデバイス１００のキーボード１０８の照明に使用中のキーボードライト１２０を示す。
図６に示すように、キーボードライト１２０から放出された光６００は、キーボード１０８全体にわたって広がる。
【符号の説明】
【００２３】
１００  コンピューティングデバイス
１０４  ベース部１０２及びディスプレイ部
１０６  外側筐体
１０８  キーボード
１１６  外側筐体
１１８  ディスプレイ
１２０  キーボードライト
２００  ポップアップライトモジュール
２０２  リリースボタン
２０８  枢動軸
２１２  ライトモジュールバネ
３００  筐体
３１４  ラチェット素子
３１６，３１７，３１８  ステップ
３２４  停止部材
４００  制御機構
４０４  保持部材
４０６  ブロック
４０８  保持タブ
４１２  シャフト
４１０  保持部材バネ
４１８  カム部材
４２０  カム面
【図１】
2011515757.tif 000003
【図２】
2011515757.tif 000004
【図３】
2011515757.tif 000005
【図４Ａ】
2011515757.tif 000006
【図４Ｂ】
2011515757.tif 000007
【図４Ｃ】
2011515757.tif 000008
【図５Ａ】
2011515757.tif 000009
【図５Ｂ】
2011515757.tif 000010
【図５Ｃ】
2011515757.tif 000011
【図５Ｄ】
2011515757.tif 000012
【図６】
2011515757.tif 000013
【国際調査報告】
2011515757.tif 000014
2011515757.tif 000015